(57)【要約】【課題】脚立に容易に取り付けることができることで、作業者の作業高度への注意喚起及び、監督者及び第三者が作業者の作業高度を確認することができる、高度表示具を提供する。【解決手段】２つの把持部材と、ベルトからなる、脚立に取り付ける高度表示具であって、前記把持部材は可撓性物質からなり、前記ベルトは、前記ベルトの全長が前記把持部材の脚立への取り付け位置の高さと同一以上の長さであり、前記脚立の支柱とともに、前記ベルトの両端部を各々前記把持部材によって把持し、前記脚立の接地面と略平行になるように、脚立の支柱に固定され、前記把持部材及び前記ベルトを取り付ける前記脚立の支柱は、作業者の昇降に使用する踏ざんが固定された２本の支柱のうち何れか１と、前記踏ざんが固定された面と対向する面の２本の支柱のうちの何れか１とからなる。【選択図】図１
2014070412.tif 000002
【特許請求の範囲】
【請求項１】
２つの把持部材と、ベルトからなる、脚立に取り付ける高度表示具であって、前記把持部材は可撓性物質からなり、
前記ベルトは、前記ベルトの全長が前記把持部材の脚立への取り付け位置の高さと同一以上の長さであり、前記脚立の支柱とともに、前記ベルトの両端部を各々前記把持部材によって把持し、前記脚立の接地面と略平行になるように、脚立の支柱に固定され、
前記把持部材及び前記ベルトを取り付ける前記脚立の支柱は、作業者の昇降に使用する踏ざんが固定された２本の支柱のうち何れか１と、前記踏ざんが固定された面と対向する面の２本の支柱のうちの何れか１と、からなること
を特徴とする高度表示具。
【請求項２】
前記把持部材の形状は、前記略円筒形又は多角筒形状の底面の端部から他端の底面に高さ方向に沿って、開閉口が形成されており、
前記脚立の任意の位置に取り付けるために、前記開閉口を開閉して、前記ベルトの端部及び前記脚立の支柱を包むように固定すること
を特徴とする請求項１に記載の高度表示具。
【請求項３】
前記ベルトは、鉛直に垂下され、前記ベルトの全長と前記把持部材を前記支柱への取り付ける位置の高さとが一致することを測定すること
を特徴とする請求項１に記載の高度表示具。
【請求項４】
前記ベルトの全長は、前記把持部材を前記支柱へ取り付けた位置の高さよりも長いこと
を特徴とする請求項１に記載の高度表示具。
【請求項５】
前記ベルトが前記把持部材で脚立へ取り付けられたとき、所定の衝撃の閾値を超えると前記ベルトが前記把持部材から外れること
を特徴とする請求項１乃至請求項４の何れか１に記載の高度表示具。
【発明の詳細な説明】
【技術分野】
【０００１】
本発明は、作業者が高所作業を実施するに当たり、脚立に容易に取り付けることができることで、作業者の作業高度への注意喚起及び、監督者及び第三者が作業者の作業高度を確認することができる、高度表示具に関する。
【背景技術】
【０００２】
作業現場では、一定高度以上の場所で作業する高所作業の場合には、安全対策として、ヘルメット、安全帯の装着等が、法令や、作業を行う会社の社内規則で規定されている。
【０００３】
また、作業器具の使用方法について規定されている場合がある。例えば、高所作業に使用する道具として、脚立では、支柱の角度に関する規定、強度に関する規定、天板に載ることを禁止する規定等の各種規定がある。なお、特許文献１には、脚立の天板へ載ることを防止するための発明が開示されている。
【先行技術文献】
【特許文献】
【０００４】
【特許文献１】実用新案登録第３１３７７９２号公報
【発明の概要】
【発明が解決しようとする課題】
【０００５】
特許文献１は脚立使用者が脚立の天板に載ることを防止するため、踏み台の最上位に位置する天板を被覆するための被覆カバーを掛け、前記天板に当接するカバー主面部と、このカバー主面部の両側縁に設けられ、前記天板を被覆したときに前記天板よりも下方に垂れ下がるカバー副面部とを含み、そして、前記カバー主面部及び前記カバー副面部の一方又は双方に、脚立の使用者が前記天板に載ることを禁止することを示唆する文字、記号、図形のうちの少なくとも一つを付し、脚立使用者に注意喚起をするようにした発明が開示されている。
【０００６】
しかしながら、特許文献１では、脚立使用者は作業場所の高度を知ることができない。法令等により、一定高度以上での作業は、高度作業として、ヘルメット、安全帯装着等が規定されているが、脚立使用者が脚立使用中に知らずに制限高度を超え、高所作業と認められる位置で作業行い、ヘルメット、安全帯装着等を行わずに、規定違反をしてしまう等の問題が発生する。
【０００７】
そこで、本発明は、脚立の使用者及び監督者が、目視で脚立の使用者の作業位置の高さを確認することができ、また、脚立への取付、取り外しを容易に行うことができる、高度表示具を提供する。
【課題を解決するための手段】
【０００８】
本発明に係る高度表示具は、２つの把持部材と、ベルトからなる、脚立に取り付ける高度表示具であって、前記把持部材は可撓性物質からなり、前記ベルトは、前記ベルトの全長が前記把持部材の脚立への取り付け位置の高さと同一以上の長さであり、前記脚立の支柱とともに、前記ベルトの両端部を各々前記把持部材によって把持し、前記脚立の接地面と略平行になるように、脚立の支柱に固定され、前記把持部材及び前記ベルトを取り付ける前記脚立の支柱は、作業者の昇降に使用する踏ざんが固定された２本の支柱のうち何れか１と、前記踏ざんが固定された面と対向する面の２本の支柱のうちの何れか１と、からなることを特徴とする。
【０００９】
本発明に係る高度表示具の前記把持部材の形状は、前記略円筒形又は多角筒形状の底面の端部から他端の底面に高さ方向に沿って、開閉口が形成されており、前記脚立の任意の位置に取り付けるために、前記開閉口を開閉して、前記ベルトの端部及び前記脚立の支柱を包むように固定することを特徴とする。
【００１０】
本発明に係る高度表示具の前記ベルトは、鉛直に垂下され、前記ベルトの全長と前記把持部材を前記支柱への取り付ける位置の高さとが一致することを測定することを特徴とする
【００１１】
本発明に係る高度表示具の前記ベルトの全長は、前記把持部材を前記支柱へ取り付けた位置の高さよりも長いことを特徴とする。
【００１２】
本発明に係る高度表示具の前記ベルトが前記把持部材で脚立へ取り付けられたときの取り付け強度は、所定の衝撃の閾値を超えると前記ベルトが前記把持部材から外れることを特徴とする。
【発明の効果】
【００１３】
本発明によれば、本発明に係るベルトのベルト長は、把持具及び前記ベルトを設置する高さ（設置高度）と一致している。従って、ベルトの長辺を鉛直に垂下し、一端を地面に接触させる事で、規定された設置高度であるかどうかを確認することができ、設置高度を測るための測定器を別途必要とせず、本高度表示具の設置をすることができる。
【００１４】
本発明に係る高度表示具は、把持具を固定する対象は脚立である。脚立は、梯子と異なり、設置時の地面に対する支柱の角度が変わらない。また、脚立の４本の支柱の間隔も固定されるため、高度表示具を一定の位置に保持することができる。
【００１５】
また、脚立の支柱のうち、対向する２本の支柱を選択して高度表示具を設置するので、作業者が踏ざんを昇降しても、高度表示具に接触することなく、作業者の安全性を損なうことが無く、作業を行うことができる。
【００１６】
また、高度表示具を対向する支柱に設置することで、高度表示具の可視範囲を広くすることができるので、他の作業者や、監督者は、作業者が、高所作業に属する高度に居るか否かを、遠くからでも容易に目視で確認することができる。
【００１７】
本発明に係る把持具は、可撓性を有する素材で形成されているため、支柱の太さ、形状等が多少異なる場合であっても、支柱に固定することができる。また、固定位置が異なった場合であっても、容易に固定位置を変更することができる。このように、設置場所を選ばすにしっかり固定することができる。
【００１８】
本発明に係る高度表示具は、前記ベルトが前記把持部材で脚立へ取り付けられたとき、所定の衝撃の閾値を超えると前記ベルトが前記把持部材から外れる様に固定されるので、作業者が高度表示具に接触しても高度表示具が外れるため、作業者が引っかかって落下する等の事故を起こすことなく、安全性を確保することができる。
【図面の簡単な説明】
【００１９】
【図１】本発明に係る、第１の実施形態を示す正面図である。
【図２】本発明に係る、位置表示器具の構成品を示す図である。
【図３】本発明に係る、位置表示器具の取付手順を示す図である。
【図４】図４（Ａ）及び図４（Ｂ）は、本発明に係る、第２の実施形態を示す図である。
【図５】図５本発明に係る、第３の実施形態を示す図である。
【発明を実施するための形態】
【００２０】
［本発明の第１の実施形態］
以下、本発明の第１の実施形態に係る高度表示具について図１乃至図３を参照しながら詳細に説明する。図１は、本発明に係る、第１の実施形態を示す正面図、図２は、位置表示器具の構成品を示す図、図３は、本発明に係る、位置表示器具の取付手順を示す図である。
【００２１】
図１は、本発明の第１の実施形態を示している。脚立１は、支柱（支柱２ａ、２ｂ、３ａ、３ｂ）と、天板４（天板４ａ，４ｂ）、開止金具５、及び複数の踏ざん６から成る。脚立１は、市販されている一般的な脚立であるため、詳細な説明は省略する。
【００２２】
図２を使用して本発明の第１の実施形態に係る高度表示具の構成を説明する。図２に示すように、高度表示具１０は、把持具１１ａ、１１ｂ、ベルト１２、表示用シート１３からなる。
【００２３】
把持具１１ａと把持具１１ｂとは、同一機能及び構成を有するため、把持具１１ａについて詳細な説明を行い、把持具１１ｂの説明は省略する。把持具１１ａは、円筒又は多角筒の形状をしており、中心部分は空洞である、中空部１１ａ１と、把持具１１ａの上面部から下面部に掛けて、開閉口１１ａ２が設置されている。把持具１１ａは、可撓性の素材によって形成されている。例えば、樹脂（エポキシ、シリコン）、ゴム、スポンジ素材、ソフトビニール等の、力を加えると弾性変形するが、元の形状に復帰し、破断しない素材が好適である。
【００２４】
可撓性の素材により、開閉口１１ａ２を左右に開閉することで、開口することができ、また、開閉口１１ａ２を閉じることもできる。
【００２５】
把持具１１ａは、開閉口１１ａ２を開き、中空部１１ａ１の位置に支柱２ａを把持し、開閉口１１ａ２を閉じることで、把持具１１ａを支柱２ａに固定する。また、支柱２ａの形状や太さが脚立１の上端部と、下端部で異なったり、脚立１の機種毎に異なっても、可撓性の素材により多少の変形が可能であるので、異なるサイズの把持具１１ａを用意することなく、汎用的に取り付けることが可能である。また、中空部１１ａ１の大きさには冗長性をもたせる構造にしてもよい。
【００２６】
開閉口１１ａ２の開閉の強度は、手で左右に開閉することができ、及び、把持具１１ａの復元力で自動的に閉じるような構造、かつ、支柱２ａに固定した状態で自動的に開閉したり、取り付け位置がずれない程度の強度が好適である。
また、開閉口１１ａ２の反対側に、ヒンジ等を設けて、スムーズに開閉できるようにしたり、開閉口１１ａ２近傍に留め紐や留め具等のロック機構を設けても良い。
【００２７】
ベルト１２は、全長Ｌ、全幅Ｗの帯状の構造をしている。ベルト１２の素材は、繊維素材、ビニール素材等であり、作業現場の環境（天気、気温、湿度等）や、作業用具に接触しても破損しないこと、及び、作業員と接触しても作業員が負傷しない、素材であればよい。ベルト１２の、全長Ｌは、図１、図３（ａ）、図４（ａ）、図４（ｂ）及び図５に示す作業高度Ｈと同じ距離である（Ｌ＝Ｈ）。したがって、ベルト１２を測定器代わりにして、高さＨを測定することができる。ベルト１２の、幅Ｗは、把持具１１ａの高さ以下であることが望ましいが、特に規定するものでは無い。
【００２８】
また、ベルト長Ｌを高度Ｈよりも長くし、ベルト１２の表面に巻尺のように長さを測る目盛を記載しても良い。また、ベルト１２は、注意を示唆する文言を記載しても良い。また、帯状に限らず、紐状の形状でもよい。
【００２９】
表示シート１３はメッセージを表示するための表示具である。表示シート１３には、ベルト１２を貫通させるためのスリット１３ａが設けられている。また、大きさは、横幅がベルト１２の長さＬを超えなければ、横幅、高さ共に任意の大きさでよい。また、ボタン、クリップ、マジックテープ（登録商標）等の容易にベルト１２から外れない装着方法であれば、スリット１３ａに代えて使用しても良い。
【００３０】
また、把持具１１、ベルト１２及び表示シート１３は、蛍光材を貼付したり、蛍光塗料を塗布したりと、夜間でも容易に視認し、安全確認がし易いようにするとよい。
【００３１】
［本発明の第１の実施形態に係る高度表示具の設置方法］
次に、図３を用いて、本発明に係る高度表示具の設置方法について説明する。図３（Ａ）は、高度作業の高さＨを、ベルト１２の長さを用いて計測している状態の図である。前述したように、ベルト１２の長さＬは、高度作業の高さＨと一致するため、ベルト１２短編側（幅Ｗ）の一端を地面に設置し、他端を保持して鉛直方向に垂下させることで、支柱２ａ及び３ａの高さＨ（長さＬ）に該当する位置、つまり、設置位置Ｐ１，Ｐ２を検出する。本実施例では長さと高さを同一（Ｌ＝Ｈ）としたが、長さＬが高さＨより長い（Ｌ＞Ｈ）ベルト１２を製造し、ベルト１２に目盛等の目印を付して、高さＨを測るようにしても良い。
【００３２】
図３（Ｂ）乃至（Ｄ）は、把持具の取り付け位置と、取り付け方法を示している。
設置位置Ｐ１に把持具１１ａを取り付け、及び設置位置Ｐ２に把持具１１ｂを取り付け、取り付けた把持具１１ａと把持具１１ｂにベルト１２のそれぞれの端部を挟み込む。
【００３３】
具体的に説明すると、使用者は、図３（Ｃ）に示すように、開閉口１１ａ２を左右に開き、中空部１１ａ１に支柱２ａ（設置位置Ｐ１の位置）及びベルト１２の端部を把持して、図３（Ｄ）に示すように、開閉口１１ａ２を閉じることで、把持具１１ａでベルト１２の一端を支柱２ａに設置位置Ｐ１に固定することができる。同様に、開閉口１１ｂ２を左右に開き、中空部１１ｂ１に設置位置Ｐ２の位置の支柱３ａ及びベルト１２の端部を把持して、開閉口１１ｂ２を閉じることで、把持具１１ｂでベルト１２の一端を支柱２ａの設置位置Ｐ２に固定することができる。ベルト長Ｌとベルト固定長ＬＳの長さの差分は、ベルト１２の端部を把持具１１ａと把持具１１ｂに挟み込む長さで調整する。
【００３４】
この時、高さＨ（設置位置Ｐ１、Ｐ２）は、ベルト１２の長さＬ方向の上縁部、中心部、下縁部の何れに揃えるかは任意であるため、あらかじめ作業手順等で規定しておくことが望ましい。
【００３５】
このようにして図１に示すように、Ｐ１−Ｐ２間にベルト１２の設置が完了する。このとき、図１に示す長さＬＳは、ベルト長Ｌより短くなる。
【００３６】
脚立は梯子と異なり４本の支柱を有するが、これら４本の支柱の内、対向する支柱２ａと３ａ間にベルト１２を設置するので、作業者がいずれの踏ざん６を昇降しても、高度表示具１０に接触することが無く、安全性を確保することができる。
【００３７】
［本発明の第２の実施形態に係る高度表示具の設置方法］
図４（Ａ）及び（Ｂ）を用いて、本発明の第２の実施形態について説明する。図４（Ａ）は、作業台２０の上面に、脚立１を設置し、高さＨを計測している状態を示し、図４（Ｂ）は、作業台２０の上面に、脚立１を設置した通常の使用状態を示す。この場合、作業高度Ｈには、作業台高さＨＤが含まれることとなり、把持具１１ａ（１１ｂ）の設置位置Ｐ３（Ｐ４）は、図４（Ａ）及び（Ｂ）に示す、ＨＳの高さの位置となる。この場合においても、ベルト１２の長さＬは、高所作業の高さＨと一致するため、図４（Ａ）に示すように、ベルト１２短編側（幅Ｗ）の一端を地面に設置し、他端を保持して鉛直方向に垂下させることで、支柱２ａ及び３ａの高さＨ（ＨＤ＋ＨＳ）に該当する位置、つまり、作業台からの高さＨＳの設置位置Ｐ３，Ｐ４を簡単に検出する。設置位置Ｐ３，Ｐ４を検出後、図４（Ｂ）に示すように、作業台２０の上面の所定の位置に、脚立１を設置するとよい。
【００３８】
［本発明の第３の実施形態に係る高度表示具の設置方法］
図５を用いて、本発明の第３の実施形態について説明する。図５は、把持具１１ａ、１１ｂの設置位置Ｐ５、Ｐ６を、対向する支柱に設置した場合の状態を示す図である。図１では、把持具１１ａを支柱２ａに、把持具１１ｂを支柱３ａに設置していたが、図５では、把持具１１ａを支柱２ａに、把持具１１ｂを支柱３ｂに設置している。この設置方法では、対向する２つの支柱２に高度表示具１０を設置するので、作業者がいずれの踏ざん６を昇降しても、高度表示具１０に接触することが無く、安全性を確保することができる。また、対向する２つの支柱であれば、把持具１１ａを支柱２ｂに、把持具１１ｂを支柱３ａに設置してもよい。
【００３９】
ここで、ベルト１２を取り付けた対角支柱幅ＬＤは、ベルト長Ｌ以下となる。また、高度表示具１０を対向する支柱に設置することで、高度表示具１０の可視範囲を広くすることができる。よって、他の作業者や、監督者は、作業者が、高所作業に属する高度に居るか否かを、目視によって、遠くからでも容易に目視で確認することができる。
【００４０】
［脚立の収納例］
脚立１を収納する場合、通常の脚立のように、脚立１を畳み、支柱２ａと３ａ、及び支柱２ｂと３ｂ、が略平行になるように脚立１を畳むが（図示せず）、把持具１１ａ、１１ｂを装着したまま脚立１を畳んでも良い。脚立を開いた場合の支柱の傾斜角度αは常に一定であるので、脚立１の収納／展開を繰り返しても、把持具１１ａ、１１ｂの設置位置Ｐ１及びＰ２の位置（高さＨ）及び、ベルト固定長ＬＳの長さを保持することができる。よって、使用開始前に高さＨを毎回測定する必要が無く、作業工数の削減、及び設置時間の短縮を図ることが出来る。
【００４１】
上述したように、本発明によれば、本発明に係るベルトのベルト長は、把持具及び前記ベルトを設置する高さ（設置高度）と一致している。従って、ベルトの長辺を鉛直に垂下し、一端を地面に接触させる事で、設置高度を測定することができ、設置高度を測るための測定器を別途必要とせず、本高度表示具の設置をすることができる。
【００４２】
本発明に係る高度表示具は、把持具を固定する対象は脚立である。脚立は、梯子と異なり、設置時の地面に対する支柱の角度が変わらない。また、脚立の４本の支柱の間隔も固定されるため、高度表示具を一定の位置に保持することができる。
【００４３】
また、脚立の支柱のうち、対向する２本の支柱を選択して高度表示具を設置するので、作業者が踏ざんを昇降しても、高度表示具に接触することなく、作業者の安全性を損なうことが無く、作業を行うことができる。
【００４４】
また、高度表示具を対向する支柱に設置することで、高度表示具の可視範囲を広くすることができるので、他の作業者や、監督者は、作業者が、高所作業に属する高度に居るか否かを、目視によって、遠くからでも容易に目視で確認することができる。
【００４５】
本発明に係る把持具は、可撓性を有する素材で形成されているため、支柱の太さ、形状等が多少異なる場合であっても、支柱に固定することができる。また、固定位置が異なった場合であっても、容易に固定位置を変更することができる。このように、設置場所を選ばすにしっかり固定することができる。
【００４６】
本発明に係る高度表示具は、前記ベルトが前記把持部材で脚立へ取り付けられたとき、所定の衝撃の閾値を超えると前記ベルトが前記把持部材から外れる様に固定されるので、作業者が高度表示具に接触しても高度表示具が外れるため、作業者が引っかかって落下する等の事故を起こすことなく、安全性を確保することができる。
【００４７】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００４８】
１      脚立
２ａ、２ｂ、３ａ、３ｂ      支柱
４      天板
５      開止金具
６      踏ざん
１０    高度表示具
１１ａ、１１ｂ      把持具（加撓性固定具）
１１ａ１、１１ｂ１  中空部
１１ａ２、１１ｂ２  開閉口
１２    ベルト
１３    表示シート
２０    作業台
Ｈ      作業高度
ＨＤ    作業台高さ
ＨＳ    取付高さ
Ｌ      ベルト長
ＬＳ    ベルト固定長
ＬＤ    対角脚幅
Ｐ１〜Ｐ６    設置位置
Ｗ      ベルト幅
【図１】
2014070412.tif 000003
【図２】
2014070412.tif 000004
【図３】
2014070412.tif 000005
【図４】
2014070412.tif 000006
【図５】
2014070412.tif 000007